(57)【要約】【課題】  着用者との間に隙間が生じることがなく、隙間からの尿等の漏れを抑制することができる着用物品を提供する。【解決手段】  おむつ１は、シャーシ２０とウエスト紐４０とを含む。のウエスト紐４０は、第１および第２紐４１，４２を含む。シャーシ２０の外面シート２２は、一枚の繊維不織布から形成され、その横方向Ｘの両端部を、折返し線に沿って身体側に向かって折り返し、折返し部４９を形成している。これら折返し部４９には、縦方向Ｙに延びる切断線を形成し、外面シート２２および折返し部４９を切断することによって第１および第２紐４１，４２を形成している。前ウエスト域５の外面シート２２には、第１および第２紐４１，４２を通すための第１および第２紐保持部５１，５２を形成している。第１および第２紐４１，４２を前ウエスト域５の着衣側へと回し、これら第１および第２紐４１，４２を結んで、シャーシ２０を着用者に固定させる。【選択図】図１
2010051599.tif 000002
【特許請求の範囲】
【請求項１】
縦方向および横方向と、身体側および着衣側と、前ウエスト域および後ウエスト域の一方である第１ウエスト域、ならびに前記前ウエスト域および後ウエスト域の他方である第２ウエスト域と、前記第１および第２ウエスト域間に位置するクロッチ域とを含むシャーシと、少なくとも前記クロッチ域に形成された吸液構造体と、前記第１ウエスト域に形成され前記第２ウエスト域を身体側に締め付け可能なウエスト紐とを含む着用物品において、
前記第２ウエスト域の前記着衣側には、前記ウエスト紐が前記縦方向に移動するのを規制する紐保持部が形成され、前記紐保持部によって、前記ウエスト紐が前記横方向に通過可能な通路が形成されることを特徴とする前記着用物品。
【請求項２】
前記シャーシは、前記縦方向に延びる両側縁と、前記横方向に延びるとともに前記第１ウエスト域に位置する第１端縁および前記第２ウエスト域に位置する第２端縁とを含み、
前記ウエスト紐は、前記両側縁の各々に位置する第１紐と、第２紐とを含み、
前記紐保持部材は、前記第１紐を保持可能な第１紐保持部と、前記第２紐を保持可能な第２紐保持部とを含み、前記第１紐保持部と第２紐保持部とは、前記横方向の長さ寸法を二等分する縦中心線を介して前記横方向に対向して形成される請求項１記載の着用物品。
【請求項３】
前記第１および第２紐保持部は、前記吸液構造体に重なる位置関係を有する請求項１または２記載の着用物品。
【請求項４】
前記ウエスト紐は、前記両側縁に沿って前記縦方向に延びる切断線によって前記シャーシを切断して形成され、前記切断線は、前記第１端縁とは離間して前記第１ウエスト域と接合する基端縁を形成し、前記第２端縁とは接触して前記第２ウエスト域と離間可能な自由端縁を形成する請求項１〜３のいずれかに記載の着用物品。
【請求項５】
前記第１および第２紐保持部は、前記シャーシに形成し前記縦方向に延びる一対のスリットによってそれぞれ形成される請求項２〜４のいずれかに記載の着用物品。
【請求項６】
前記第１紐および第２紐は、その長さ方向に伸縮可能に弾性化される請求項１〜５のいずれかに記載の着用物品。
【請求項７】
前記第１紐および第２紐は、前記基端縁および前記自由端縁において非弾性化される請求項１〜６のいずれかに記載の着用物品。
【請求項８】
前記第１紐および第２紐は、前記自由端縁に少なくともその一部が硬化された硬化部が形成される請求項１〜７のいずれかに記載の着用物品。
【請求項９】
前記シャーシは、前記両側縁において前記縦方向に伸縮可能に弾性化される請求項１〜８のいずれかに記載の着用物品。
【発明の詳細な説明】
【技術分野】
【０００１】
この発明は、着用物品に関し、さらに詳しくは使い捨てのおむつ、排便トレーニングパンツ、失禁ブリーフ等に取り付け可能な着用物品に関する。
【背景技術】
【０００２】
従来、紙おむつのおむつ本体を背側から股下を通って腹側へとあてがい、このおむつ本体を着用者の身体に紐で結んで固定させるいわゆる「越中ふんどし」のようなタイプのものとして、例えば、特開２００７−２８３００７号公報（特許文献１）が公知である。この特許文献１において、紐は、おむつ本体の両側に沿って切断して形成される。切断線は、一端から他端近傍まで形成され、他端では、完全に切断されることがない。したがって、紐は他端でおむつ本体に接続されたまま形成される。
【特許文献１】特開２００７−２８３００７号公報
【発明の開示】
【発明が解決しようとする課題】
【０００３】
着用者が歩いたりして腰回りを動かしたときや、排尿等によって股下部分が重くなったときには、おむつ本体が股下側に向かって下がるようにずれてしまうことがある。おむつがずれると着用者の脚回りとの間、特におむつと着用者の鼠蹊部の間に隙間ができ、この隙間から尿等が漏れるという問題があった。
【０００４】
この発明では、着用者との間に隙間が生じることがなく、隙間からの尿等の漏れを抑制することができる着用物品を提供することを課題とする。
【課題を解決するための手段】
【０００５】
この発明は、縦方向および横方向と、身体側および着衣側と、前ウエスト域および後ウエスト域の一方である第１ウエスト域、ならびに前記前ウエスト域および後ウエスト域の他方である第２ウエスト域と、前記第１および第２ウエスト域間に位置するクロッチ域とを含むシャーシと、少なくとも前記クロッチ域に形成された吸液構造体と、前記第１ウエスト域に形成され前記第２ウエスト域を身体側に締め付け可能なウエスト紐とを含む着用物品の改良に関わる。
【０００６】
この発明は前記着用物品において、前記第２ウエスト域の前記着衣側には、前記ウエスト紐が前記縦方向に移動するのを規制する紐保持部が形成され、前記紐保持部によって、前記ウエスト紐が前記横方向に通過可能な通路が形成されることを特徴とする。
【０００７】
好ましい実施態様のひとつとして、前記シャーシは、前記縦方向に延びる両側縁と、前記横方向に延びるとともに前記第１ウエスト域に位置する第１端縁および前記第２ウエスト域に位置する第２端縁とを含み、前記ウエスト紐は、前記両側縁の各々に位置する第１紐と、第２紐とを含み、前記第２ウエスト域の前記着衣側には、前記第１紐を保持可能な第１紐保持部と、前記第２紐を保持可能な第２紐保持部とが形成され、前記第１紐保持部と第２紐保持部とは、前記横方向の長さ寸法を二等分する縦中心線を介して前記横方向に対向して形成される。
【０００８】
好ましい他の実施態様のひとつとして、前記第１および第２紐保持部は、前記吸液構造体に重なる位置関係を有する。
【０００９】
好ましい他の実施態様のひとつとして、前記ウエスト紐は、前記両側縁に沿って前記縦方向に延びる切断線によって前記シャーシを切断して形成され、前記切断線は、前記第１端縁とは離間して前記第１ウエスト域と接合する基端縁を形成し、前記第２端縁とは接触して前記第２ウエスト域と離間可能な自由端縁を形成する。
【００１０】
好ましい他の実施態様のひとつとして、前記第１および第２紐保持部は、前記シャーシに形成し前記縦方向に延びる一対のスリットによってそれぞれ形成される。
【００１１】
好ましい他の実施態様のひとつとして、前記第１紐および第２紐は、その長さ方向に伸縮可能に弾性化される。
【００１２】
好ましい他の実施態様のひとつとして、前記第１紐および第２紐は、前記基端縁および前記自由端縁において非弾性化される。
【００１３】
好ましい他の実施態様のひとつとして、前記第１紐および第２紐は、前記自由端縁に少なくともその一部が硬化された硬化部が形成される。
【００１４】
好ましい他の実施態様のひとつとして、前記シャーシは、前記両側縁において前記縦方向に伸縮可能に弾性化される。
【発明の効果】
【００１５】
着用物品の第１ウエスト域にウエスト紐が形成され、第２ウエスト域の着衣側には、ウエスト紐が縦方向に移動するのを規制する紐保持部が形成されることとしている。したがって、着用者が歩いたりして腰回りを動かしたときや、排尿等によって股下部分が重くなったときであっても、着用物品がクロッチ域側に向かって下がるようにずれるのを抑制することができる。したがって、着用物品と着用者の脚回りとの間に隙間ができるのが抑制され、尿等の漏れを防止することができる。
【発明を実施するための最良の形態】
【００１６】
着用物品として使い捨ておむつを用い、この発明の一例を説明する。
【００１７】
＜第１の実施形態＞
図１はおむつ１の着用状態を示した斜視図、図２はおむつ１を展開した状態の平面図であって、身体側から見たときの図、図３は図２のＩＩＩ−ＩＩＩ線断面図である。図２および３では、説明のためおむつ１に皺が発生しない状態すなわち弾性部材を収縮させない状態を示している。おむつ１は、着用者の腹側から背側に向かう縦方向Ｙと、縦方向Ｙに直交する横方向Ｘとを含み、横方向Ｘの寸法を二等分する縦中心線Ｐ−Ｐと、縦方向Ｙの寸法を二等分する横中心線Ｑ−Ｑとを含む。おむつ１はシャーシ２０と、吸液構造体３０と、ウエスト紐４０とを含む。シャーシ２０は、縦方向Ｙの前後に位置する前ウエスト域５、後ウエスト域６、これらウエスト域５，６の間に位置するクロッチ域７とを含み、後ウエスト域６を第１ウエスト域、前ウエスト域５を第２ウエスト域としている。
【００１８】
シャーシ２０は、身体側に位置し透液性を有する内面シート２１と、着衣側に位置し不透液性を有する外面シート２２とを含み、これら内外面シート２１，２２は縦方向Ｙに延びる略矩形を有し、縦方向Ｙと横方向Ｘとに関して外面シート２２よりも内面シート２１が小さく、外面シート２２の前後端縁および両側縁が内面シート２１の縦方向Ｙおよび横方向Ｘ外側に延出している。このようなシャーシ２０は、外面シート２２によって縦方向Ｙに延びるシャーシ側縁２３，２４と、横方向Ｘに延びるシャーシ前後端縁２５，２６を形成している。この発明の第１端縁がシャーシ後端縁２６に相当し、第２端縁がシャーシ前端縁２５に相当する。
【００１９】
図２，３に示したように、内外面シート２１，２２の間には、吸液構造体３０が形成されている。吸液構造体３０は、フラッフパルプ等によって形成される吸液性芯材３１と、吸液性芯材３１を覆うティッシュペーパ等の液拡散シート３２と、液拡散シート３２と外面シート２２との間に配置されシャーシ２０への尿等の漏れを防止するための漏れ防止シート３３とを含む。吸液構造体３０は、少なくともクロッチ域７に位置し、クロッチ域７から前後ウエスト域５，６へと縦方向Ｙに延びている。吸液構造体３０は、横中心線Ｑ−Ｑ近傍において、縦中心線Ｐ−Ｐに向かって湾曲し、この湾曲部分を着用者の鼠蹊部に位置させることによって、おむつ１が着用者の脚回りに密着可能としている。吸液構造体３０は、縦方向Ｙに延びる吸液側縁３４，３５と、横方向Ｘに延びる吸液前後端縁３６，３７とを含む。これら吸液側縁３４，３５および吸液前後端縁３６，３７から、内面シート２１の両側縁および前後端縁が延出し、吸液構造体３０が内面シート２１で覆われる構成にしている。
【００２０】
ウエスト紐４０は、横方向Ｘに離間する第１紐４１と第２紐４２とを含む。第１および第２紐４１，４２は、外面シート２２の一部によって形成されている。すなわち、外面シート２２は、一枚の繊維不織布から形成され、その横方向Ｘの両端部を、折返し線４８に沿って身体側に向かって折り返し、折返し部４９を形成している。これら折返し部４９には、縦方向Ｙに延びる切断線４３を形成し、外面シート２２および折返し部４９を切断することによって第１および第２紐４１，４２を形成している。切断線４３は、シャーシ前端縁２５には接触し、シャーシ後端縁２６とは離間している。すなわち、第１および第２紐４１，４２は、後ウエスト域６でシャーシ２０と接続して基端縁４４を形成し、その反対側でシャーシ２０とは切り離された自由端縁４５を形成している。
【００２１】
第１および第２紐４１，４２には、これらを伸縮可能に弾性化する紐弾性部材４６，４７を縦方向Ｙに伸長状態で取り付けている。紐弾性部材４６，４７は、第１および第２紐４１，４２に対してそれぞれその両側に２本ずつ配置され、折返し部４９と外面シート２２との少なくともいずれか一方に接合される。第１および第２紐４１，４２は、基端縁４４および自由端縁４５では弾性化されないように、紐弾性部材４６，４７を基端縁４４と自由端縁４５との間に取り付けている。
【００２２】
切断線４３よりも横方向Ｘの内側であって、吸液側縁３４，３５との間にレッグ弾性部材２７，２８を縦方向Ｙに伸長状態で取り付け、シャーシ２０のシャーシ側縁２３，２４を伸縮可能に弾性化している。レッグ弾性部材２７，２８は、折返し部４９と外面シート２２との間に取り付けられ、それら少なくともいずれか一方に接合される。レッグ弾性部材２７，２８は、少なくともクロッチ域７に位置し、この実施形態では、クロッチ域７から前後ウエスト域５，６へと縦方向Ｙに延びている。レッグ弾性部材２７，２８を取り付けることによって、少なくともクロッチ域７に位置するシャーシ側縁２３，２４が着用者の脚回り、特に鼠蹊部に密着可能とすることができ、脚回りからの尿漏れ等を防止することができる。
【００２３】
前ウエスト域５の外面シート２２には、第１および第２紐４１，４２を通すための第１および第２紐保持部５１，５２を形成している。具体的には、第１紐保持部５１は、縦方向Ｙに延びる一対のスリット５３によって形成され、第２紐保持部５２は、縦方向Ｙに延びる一対のスリット５４によって形成されている。スリット５３，５４は、外面シート２２を厚さ方向に貫通し、その縦方向Ｙの長さ寸法は、第１および第２紐４１，４２の横方向Ｘの長さ寸法よりも大きくしている。スリット５３，５４を形成することによって、第１および第２紐４１，４２が横方向Ｘに通過可能な通路が形成される。第１および第２紐保持部５１，５２は、縦中心線Ｐ−Ｐを介して横方向Ｘに対向し、縦中心線Ｐ−Ｐからほぼ等しい距離に離間している。第１および第２紐保持部５１，５２は、吸液構造体３０と重なる位置に形成されている。
【００２４】
上記のようなおむつ１を着用者に着用させるには、シャーシ２０の後ウエスト域６を着用者の背中および臀に、クロッチ域７が股に、前ウエスト域５が腹に位置するように、このシャーシ２０を着用者にあてがう。シャーシ２０を着用者にあてがったら、第１および第２紐４１，４２を前ウエスト域５の着衣側へと回し、これら第１および第２紐４１，４２を結んで、シャーシ２０を着用者に固定させる。このとき、第１および第２紐４１，４２は、第１および第２紐保持部５１，５２のスリット５３，５４に通し、これら第１および第２紐保持部５１，５２の間、すなわち縦中心線Ｐ−Ｐ近傍で、第１および第２紐４１，４２を結ぶ。
【００２５】
第１および第２紐４１，４２を第１および第２紐保持部５１，５２で保持することとしたので、排尿等によってシャーシ２０のクロッチ域７が重たくなったような場合であっても、第１および第２紐４１，４２でシャーシ２０が縦方向Ｙに下がるのを抑制することができる。したがって、おむつ１のクロッチ域７のシャーシ側縁２３，２４と着用者の鼠蹊部との間に隙間が生じ難く、脚回りからの尿漏れ等を抑制することができる。
しかも、クロッチ域７のシャーシ側縁２３，２４には、レッグ弾性部材２７，２８が取り付けられているので、クロッチ域７のシャーシ側縁２３，２４は着用者の鼠蹊部との隙間を解消することができる。
【００２６】
第１および第２紐４１，４２は、紐弾性部材４６，４７によって長手方向に弾性化されているので、第１および第２紐４１，４２を引っ張りながら結ぶことによって、第１および第２紐４１，４２の収縮によって前後ウエスト域５，６を着用者に密着させることができる。また、第１および第２紐４１，４２を弾性化することによって、着用者のウエストの変化に第１および第２紐４１，４２が追従することができる。すなわち、特に幼児の場合には、食事の前後でウエストの大きさが変化するが、これによっておむつが苦しくなったり、緩くなったりするのを抑制することができる。また、着用者のウエストの変化に追従することができるので、第１および第２紐４１，４２を結びなおしたりする手間を省くことができる。
【００２７】
第１および第２紐保持部５１，５２を前ウエスト域５の着衣側に位置する外面シート２２に形成することとしたので、第１および第２紐４１，４２が直接肌に触れることがない。したがって、弾性化によって第１および第２紐４１，４２に皺が発生した場合であっても、この皺によって肌に刺激を与えるのを抑制することができる。また、第１および第２紐４１，４２を互いに結ぶことによって前ウエスト域５を着用者に密着させることができるとともに、後ウエスト域６をも着用者に密着させることができ、これら前後ウエスト域５，６からの尿等の漏れを抑制することができる。
【００２８】
第１および第２紐保持部５１，５２を吸液構造体３０と重なる位置関係にし、第１紐および第２紐４１，４２を通したときに、これら第１および第２紐４１，４２の身体側に吸液構造体３０が位置することとしたので、吸液構造体３０の剛性によって、第１および第２紐４１，４２の身体に対する締め付けを緩和することができる。したがって、第１および第２紐４１，４２をきつめに結んだ場合であっても、肌に対する刺激を低減することができ、皺による刺激も低減することができる。
【００２９】
第１および第２紐４１，４２を弾性化することによって、第１および第２紐４１，４２に皺が生じた場合には、この皺によって第１および第２紐保持部５１，５２に第１および第２紐４１，４２が引っかかり、第１および第２紐４１，４２の抜けを防止することができる。第１および第２紐保持部５１，５２を縦中心線Ｐ−Ｐに対して離間対向するようにしているので、これら横方向Ｘの外側から内側へと第１および第２紐４１，４２を通した場合には、第１および第２紐４１，４２の結び目は、第１および第２紐保持部５１，５２の間、すなわち、縦中心線Ｐ−Ｐの近傍に位置することになる。このように縦中心線Ｐ−Ｐの近傍に結び目が来るようにすることによって、第１および第２紐４１，４２を均等に引っ張ることができ、いずれか一方の紐が強く引っ張られるのを防止することができる。いずれか一方のみが強く引っ張られたときには、弾性部材の伸長応力が大きくなり、一方の締め付け力が強くなってしまい、肌に対する刺激や違和感が大きくなる。
【００３０】
第１および第２紐４１，４２の自由端縁４５には、紐弾性部材４６，４７の弾性力を作用させないようにしているので、自由端縁４５に紐弾性部材４６，４７によって皺が発生することがない。自由端縁４５に皺が発生しないので、この自由端縁４５を指でつまみやすく、しかも、第１および第２紐保持部５１，５２に通しやすい。また、この自由端縁４５に硬化部を形成することによって、より一層つまみやすく、しかも第１および第２紐保持部５１，５２を通しやすくすることができる。第１および第２紐４１，４２の自由端縁４５をつまみやすくすることによって、お年寄りや子供などの細かい作業が苦手な着用者であっても、自分で容易におむつ１を着用することができる。
硬化部の形成としては、自由端縁４５に接着剤を塗布して硬化させたり、熱溶融によって硬化させたり、他のシート等を貼り付けることによって硬化させたりすることが考えられる。
【００３１】
第１および第２紐４１，４２は、シャーシ２０を形成する外面シート２２を切断線４３で切断するだけで形成することができるので、他の紐を別途シャーシ２０に取り付けるのに比べて製造が容易である。しかも、シャーシ２０の縦方向Ｙをシャーシ２０の製造工程における機械方向としておむつ１を製造した場合には、機械方向と同方向で切断線４３が形成され、かつ、機械方向と各弾性部材の伸長方向とが一致する。すなわち、これらすべての作業が同方向で行うことができるので、おむつ１の製造が容易かつ安価で行うことができる。
また、外面シート２２を形成する繊維不織布は、その構成繊維の配向割合が横方向Ｘよりも縦方向Ｙにおいて高いものが好ましい。外面シート２２として前記繊維不織布に替えて、プラスチックフィルムまたはこれと前記繊維不織布とのラミネートシートを用いることもできるが、この場合、プラスチックフィルムは、その分子の配向割合が横方向Ｘよりも縦方向Ｙにおいて高いものが好ましい。前記繊維および分子の配向が、切断線４３に沿って外面シート２２を切断する方向と一致することで、その切断操作が容易となるからである。
【００３２】
第１および第２紐４１，４２は、外面シート２２を切断線４３で切断して形成することとしているが、切断線４３で完全に切断するものだけでなく、切断線４３に沿ってミシン目を入れるようにしてもよい。ミシン目を入れて、完全に第１および第２紐４１，４２がシャーシ２０から切り離されないようにすることによって、おむつ１の製造時に第１および第２紐４１，４２が製造装置に絡まったりするのを防止することができる。このように切断線４３にミシン目を形成した場合には、おむつ１の着用時にミシン目を裂いて使用する。
【００３３】
＜第２の実施形態＞
図４は、この発明の第２の実施形態を示し、前ウエスト域５の着衣側を示したものである。この実施形態では、第１および第２紐保持部をそれぞれ複数形成する点に特徴を有する。他の構成要素は、第１の実施形態と同様であるので、同様の構成要素についての詳細な説明を省略する。図示したように、第１紐保持部５１は、横方向Ｘの内側に位置する第１内側部５５と外側に位置する第１外側部５６とを含み、第２紐保持部５２は、横方向Ｘの内側に位置する第２内側部５７と外側に位置する第２外側部５８とを含む。第１および第２内側部５５，５７は、第１および第２外側部５６，５８よりもシャーシ前端縁２５側に位置させ、これら第１および第２内側部５５，５７と、第１および第２外側部５６，５８とが縦方向Ｙにずれるようにしている。第１内外側部５５，５６および第２内外側部５７，５８のいずれも、外面シート２２に形成したスリットによって構成され、縦中心線Ｐ−Ｐに対称に形成されている。
【００３４】
第１および第２紐保持部５１，５２を、内側と外側とに二箇所形成することによって、横方向Ｘの広い範囲で第１および第２紐４１，４２によって保持されるので、シャーシ２０がクロッチ域７側にずり下がるのを効果的に抑制することができる。
また、着用者の体型に合わせて第１および第２内側部５５，５７のみを使用したり、第１および第２外側部５６，５８のみを使用したりすることもできる。
【００３５】
この実施形態において、第１内外側部５５，５６および第２内外側部５７，５８を縦方向Ｙにずらして形成することとしているが、横方向Ｘの同一線上に並んで形成するようにしてもよい。また、第１および第２紐保持部５１，５２は、例えばそれぞれ３箇所あるいは４箇所形成してもよい。
【００３６】
上記第１および第２の実施形態では、第１および第２紐保持部５１，５２を外面シート２２に形成したスリットによって構成することとしているが、これに限ったものではなく、外面シート２２とは別のシートや紐等によってループを形成し、第１および第２紐４１，４２を保持可能とすることもできる。要するに、紐保持部としては、第１および第２紐４１，４２を横方向Ｘに通過させる通路が形成されるものであれば、これらに限定されるものではない。ただし、第１および第２紐保持部５１，５２のようにスリットを形成することによって、別途他の部材を必要とすることがないので、その分コストの低減を図ることができる。
【００３７】
紐保持部として、シャーシ２０の前ウエスト域５を着衣側に折返し、折り返し部分において外面シート２２を互いに一部接合することによって形成するようにしてもよい。このように紐保持部を形成した場合であっても、外面シート２２の接合部と折返し線によって、第１および第２紐の縦方向Ｙの移動が規制されるから、おむつが縦方向Ｙのクロッチ域に向かって下がってしまうのを抑制することができる。
【００３８】
第１および第２紐保持部５１，５２としてスリットを形成した場合には、その縦方向Ｙの上下端にスリットと交差する溶融線を形成することもできる。このように溶融線を形成することによって、スリットが裂けて規定寸法よりも大きくなるのを抑制することができる。
第１および第２紐４１，４２を弾性化するために、ゴム紐等の弾性部材を用いているが、伸縮性のシート等、他の一般的な手法を用いることができる。同様に、シャーシ２０の両側縁を弾性化するために伸縮性のシート等、他の一般的な手法を用いることができる。
【００３９】
第１ウエスト域に後ウエスト域６が対応し、第２ウエスト域に前ウエスト域５が対応するようにしているが、これが反対になってもよい。
【図面の簡単な説明】
【００４０】
【図１】おむつの着用状態の斜視図。
【図２】おむつの展開図。
【図３】図２のＩＩＩ−ＩＩＩ線断面図。
【図４】他の実施形態の一部拡大図。
【符号の説明】
【００４１】
１    おむつ（着用物品）
５    前ウエスト域（第２ウエスト域）
６    後ウエスト域（第１ウエスト域）
７    クロッチ域
２０    シャーシ
２３    シャーシ側縁
２４    シャーシ側縁
２５    シャーシ前端縁（第２端縁）
２６    シャーシ後端縁（第１端縁）
２７    レッグ弾性部材
２８    レッグ弾性部材
３０    吸液構造体
４０    ウエスト紐
４１    第１紐
４２    第２紐
４３    切断線
４４    基端縁
４５    自由端縁
４６    紐弾性部材
４７    紐弾性部材
５１    第１紐保持部
５２    第２紐保持部
【図１】
2010051599.tif 000003
【図２】
2010051599.tif 000004
【図３】
2010051599.tif 000005
【図４】
2010051599.tif 000006